(57)【要約】【課題】本発明は、極めて商品価値の高い画期的な飲料商品載置台を提供することを目的とする。【解決手段】飲料を缶やペットボトルなどの容器に詰入して成る飲料商品Ｄを自動販売機20に補充する際に使用する載置台であって、正面部１ａに載置部２を設けた載置本体１に、前記自動販売機20内に設けられる内扉21の上端部21ａに掛け係止する係止部３を設けたものである。【選択図】図５
2011034252.tif 000002
【特許請求の範囲】
【請求項１】
飲料を缶やペットボトルなどの容器に詰入して成る飲料商品を自動販売機に補充する際に使用する載置台であって、正面部に載置部を設けた載置本体に、前記自動販売機内に設けられる内扉の上端部に掛け係止する係止部を設けたことを特徴とする飲料商品載置台。
【請求項２】
請求項１記載の飲料商品載置台において、前記載置部は、前記載置上面が水平状態ではなく前記正面部側へ下る下り傾斜状態に設けられていることを特徴とする飲料商品載置台。
【請求項３】
請求項１，２いずれか１項に記載の飲料商品載置台において、前記載置本体に対する前記載置部の高さ位置は可変可能に設けられていることを特徴とする飲料商品載置台。
【請求項４】
請求項１〜３いずれか１項に記載の飲料商品載置台において、前記載置部は、前記載置本体の正面部に添設状態から前方へ突出状態となるまで擺動自在に設けられており、前記載置本体の正面部に添設状態とした前記載置部を保持する添設保持手段が設けられていることを特徴とする飲料商品載置台。
【請求項５】
請求項１〜４いずれか１項に記載の飲料商品載置台において、前記載置本体の正面部には、前記載置部に載置され前記飲料商品を複数収納する収納ケースの背面部を支承する収納ケース支承部が設けられ、この収納ケース支承部は垂直状態ではなく前記載置本体の正面部へ倒れ込む倒れ込み傾斜状態に設けられていることを特徴とする飲料商品載置台。
【請求項６】
請求項１〜５いずれか１項に記載の飲料商品載置台において、前記係止部は前記載置本体の上縁部に設けられていることを特徴とする飲料商品載置台。
【発明の詳細な説明】
【技術分野】
【０００１】
本発明は、例えば飲料を缶やペットボトルなどの容器に詰入して成る飲料商品を自動販売機に補充する際に使用する飲料商品載置台に関するものである。
【背景技術】
【０００２】
例えば飲料を缶やペットボトルなどの容器に詰入して成る飲料商品Ｄ’を自動販売機30に補充する際、地面に置いた収納ケース31（段ボール箱）に多数収納された飲料商品Ｄ’を一つ一つ手で掴み、自動販売機30の上部に位置する飲料商品投入口30ａ（図７の場合には飲料商品投入口30ａは１２個あり、よって、この自動販売機30は１２種類の飲料商品Ｄ’を入れることができる。）まで運んで投入することになるが、これは非常に煩わしく作業効率が悪い。
【０００３】
熟練者になると収納ケース31を脇に抱えた状態で投入したり、或いは、片足立ちをし、浮かせた足を折り曲げてその上に収納ケース31を置いた状態で投入する作業者もいるが、このような方法は飲料商品Ｄ’が詰まった収納ケース31は非常に重量がある為大変である。
【０００４】
そこで、従来においても例えば図８に示す特許第３０７９７５７号に開示される飲料商品載置台（以下、従来例という。）が提案されている。
【０００５】
この従来例は、内部に内扉41が設けられた自動販売機40に具備せしめられるもので、一端が内扉41に回動可能に支持された棚板44と、内扉41下方の本体ケース45の底板45a上に設置された受金46と、上端部が棚板44に滑動可能に連結されるとともに、下端部が受金46に係脱可能であり、該受金46に係止された状態で棚板44を略水平に保持する支え47とからなるものである。尚、一般に自動販売機40は、飲料商品投入口43ａから投入された飲料商品Ｄ”を収納する収納装置43や、この収納装置43に収納された飲料商品Ｄ”を冷却したり加温したりする冷却加温装置などを内装した本体ケース45の正面開口部に、サンプルや選択押しボタンやコイン投入口などが設けられた外扉42と、飲料商品Ｄ”の保冷、保温のために断熱構造とされた内扉41とからなる二重扉構造が採用されている。
【０００６】
この従来例を用いて飲料商品Ｄ”を補充する際には、内扉41前面に折り畳み収容されている棚板44を支え47により水平状態に保持し、この棚板44上に、飲料商品Ｄ”が収納された収納ケース48を載せ、この状態で、収納ケース48から飲料商品Ｄ”を取り出して飲料商品投入口43ａに投入する。
【０００７】
従って、作業者は屈まなくても収納ケース48から飲料商品Ｄ”を取り出し、そのまま飲料商品投入口43ａへ投入することができ、よって、作業者の作業負担が少なく済むことになる。
【先行技術文献】
【特許文献】
【０００８】
【特許文献１】特許第３０７９７５７号公報
【発明の概要】
【発明が解決しようとする課題】
【０００９】
しかしながら、従来例は、特に棚板44の真上に位置する飲料商品投入口43ａへは投入しにくいという問題がある。
【００１０】
具体的には、飲料商品投入口43ａは自動販売機40の内部上方位置に巾方向に複数並設されているが、棚板44に収納ケース48を載置した状態で該棚板44（収納ケース48）の真上に位置する飲料商品投入口43ａへ飲料商品Ｄ”を投入する場合、棚板44及び収納ケース48が邪魔になり、収納ケース48を傾けたりして投入したい飲料商品投入口43ａに対して遠い位置から手を伸ばし、該飲料商品投入口43ａへ飲料商品Ｄ”を投入しなければならず非常に厄介である（棚板44の両脇上方の飲料商品投入口43ａへの飲料商品Ｄ”の投入は、該飲料商品投入口43ａの真下に立って投入作業を行う為、近い位置からの投入作業となり、作業性は良い。）。
【００１１】
また、従来例は、飲料商品投入口43ａの多い自動販売機40によっては、内扉41で隠蔽状態となる部分にも飲料商品投入口43ａが設けられている場合があるが、この内扉41で隠蔽状態となる飲料商品投入口43ａへ飲料商品Ｄ”を投入すべく内扉41を開いた状態とすれば、内扉41の正面に設けられる従来例は使用できないという問題がある。
【００１２】
また、従来例は、自動販売機40ごとに設けられる構造の為、自動販売機40がコスト高となるという問題もある。
【００１３】
本発明は、上述の問題点を解消する、従来にない作用効果を発揮する画期的な飲料商品載置台を提供する。
【課題を解決するための手段】
【００１４】
添付図面を参照して本発明の要旨を説明する。
【００１５】
飲料を缶やペットボトルなどの容器に詰入して成る飲料商品Ｄを自動販売機20に補充する際に使用する載置台であって、正面部１ａに載置部２を設けた載置本体１に、前記自動販売機20内に設けられる内扉21の上端部21ａに掛け係止する係止部３を設けたことを特徴とする飲料商品載置台に係るものである。
【００１６】
また、請求項１記載の飲料商品載置台において、前記載置部２は、前記載置上面２ａが水平状態ではなく前記正面部１ａ側へ下る下り傾斜状態に設けられていることを特徴とする飲料商品載置台に係るものである。
【００１７】
また、請求項１，２いずれか１項に記載の飲料商品載置台において、前記載置本体１に対する前記載置部２の高さ位置は可変可能に設けられていることを特徴とする飲料商品載置台に係るものである。
【００１８】
また、請求項１〜３いずれか１項に記載の飲料商品載置台において、前記載置部２は、前記載置本体１の正面部１ａに添設状態から前方へ突出状態となるまで擺動自在に設けられており、前記載置本体１の正面部１ａに添設状態とした前記載置部２を保持する添設保持手段４が設けられていることを特徴とする飲料商品載置台に係るものである。
【００１９】
また、請求項１〜４いずれか１項に記載の飲料商品載置台において、前記載置本体１の正面部１ａには、前記載置部２に載置され前記飲料商品Ｄを複数収納する収納ケース７の背面部を支承する収納ケース支承部５が設けられ、この収納ケース支承部５は垂直状態ではなく前記載置本体１の正面部１ａへ倒れ込む倒れ込み傾斜状態に設けられていることを特徴とする飲料商品載置台に係るものである。
【００２０】
また、請求項１〜５いずれか１項に記載の飲料商品載置台において、前記係止部３は前記載置本体１の上縁部に設けられていることを特徴とする飲料商品載置台に係るものである。
【発明の効果】
【００２１】
本発明は上述のように構成したから、前述した従来例と異なり、状況に応じて自動販売機の内扉に対して掛け係止する位置を可変でき、よって、常に飲料商品を補充する作業が良好に行えることになり、しかも、既存の自動販売機に使用することができて非常に便利であるなど従来にない作用効果を発揮する画期的な飲料商品載置台となる。
【図面の簡単な説明】
【００２２】
【図１】本実施例を示す斜視図である。
【図２】本実施例を示す斜視図である。
【図３】本実施例に係る要部の説明断面図である。
【図４】自動販売機を説明する斜視図である。
【図５】本実施例の使用状態説明図である。
【図６】本実施例の使用状態説明図である。
【図７】従来から提案される自動販売機30の説明図である。
【図８】従来例の使用状態説明図である。
【発明を実施するための形態】
【００２３】
好適と考える本発明の実施形態を、図面に基づいて本発明の作用を示して簡単に説明する。
【００２４】
飲料商品Ｄの補充作業の際、自動販売機20の内扉21の上端部21ａに係止部３を掛け係止して載置本体１を掛け下げ状態とし、この載置本体１に設けられる載置部２に、例えば飲料商品Ｄが収納された収納ケース７を載せ、この状態で収納ケース７から飲料商品Ｄを取り出して補充作業を行う。
【００２５】
従って、飲料商品Ｄを補充する際に、地面に載置した収納ケース７から飲料商品Ｄを取ろうとして屈む必要はなく、作業者は作業し易い高さ位置に載置された収納ケース７から飲料商品Ｄを取り出すことができ、楽な姿勢で飲料商品Ｄの補充作業が行えることになる。
【００２６】
また、本発明は、載置本体１を自動販売機20の内扉21の上端部21ａにおける巾方向任意の位置に掛け下げ状態にできるから、常に作業者が作業し易い位置に飲料商品Ｄが収納された収納ケース７を配置することができる。
【００２７】
具体的には、内扉21に載置本体１を掛け下げ状態とする際、飲料商品Ｄを投入しようとする飲料商品投入口23ａの真下に載置部２が位置しないように内扉21の上端部21ａに係止部３を掛け係止することで、作業者は載置部２（載置部２に載置された例えば収納ケース７）が邪魔にならず飲料商品投入口23ａから近い位置において楽な姿勢で飲料商品Ｄの補充作業が行えることになる。引き続き、別の飲料商品投入口23ａへ飲料商品Ｄを投入しようとする際、載置部２が邪魔になるようであれば内扉21の上端部21ａの別の位置へ係止部３を掛け係止させて載置本体１を移動させれば良い。
【００２８】
また、仮に閉じた内扉21で隠蔽状態となる飲料商品投入口23ａに飲料商品Ｄを投入しようとする場合、内扉21を開いた状態とし、この開いた状態の内扉21の内面側に載置本体１が配されるように係止部３を内扉21の上端部21ａに掛け係止する。
【００２９】
つまり、前述した従来例と異なり、本発明は、内扉21の上端部21ａに掛け係止して使用する構造の為、内扉21を閉じた状態は勿論、内扉21を開いた状態でも使用することができる。
【００３０】
以上のように、本発明は、前述した従来例と異なり、状況に応じて自動販売機20の内扉21に対して掛け下げる位置を可変することで、常に飲料商品Ｄを補充する作業が良好に行えることになる。
【００３１】
また、本発明は、既存の自動販売機20に使用することができて非常に便利である。
【実施例】
【００３２】
本発明の具体的な一実施例について図面に基づいて説明する。
【００３３】
本実施例は、飲料を缶やペットボトルなどの容器に詰入して成る飲料商品Ｄを自動販売機20に補充する際に使用する載置台であって、正面部１ａに載置部２を設けた載置本体１に、自動販売機20内に設けられる内扉21の上端部21ａに掛け係止する係止部３を設けたものである。
【００３４】
尚、本実施例で対象とする自動販売機20はごく一般的な構造、即ち、図４〜６に図示したように飲料商品投入口23ａから投入された飲料商品Ｄを収納する収納装置23や、この収納装置に収納された飲料商品Ｄを冷却したり加温したりする冷却加温装置（図示省略）などを内装したボックス状本体20ａの正面開口部に、サンプルや選択押しボタンやコイン投入口などが設けられた外扉22と、飲料商品Ｄの保冷、保温のために断熱構造とされた内扉21とからなる二重扉構造を設けた構造である。符号７は複数の飲料商品Ｄが多数収納される段ボール製の収納ケースである。
【００３５】
具体的には、載置本体１は、図１〜３に図示したように適宜な金属製で形成した薄板状体であり、上端部には係止部３が設けられている。
【００３６】
この係止部３は、載置本体１の上縁部に設けられており、具体的には、図１〜３に図示したように載置本体１の上縁部の左右位置に後方へ向けて一対のコ字状体を折り返し形成して構成されており、内扉21の上端部21ａに掛け係止し得るように構成されている。
【００３７】
また、係止部３は、掛け幅を可変自在に設けて内扉21の上端部21ａの厚さに対応し得るように構成しても良い。
【００３８】
また、載置本体１の正面部１ａには、後述する載置部２に載置した収納ケース７の背面部を支承する収納ケース支承部５が設けられている。
【００３９】
この収納ケース支承部５は、図１〜３に図示したように載置本体１の左右端部を前方へ向けて折り曲げ形成して構成されており、この収納ケース支承部５は垂直状態ではなく前記載置本体１の正面部１ａへ倒れ込む倒れ込み傾斜状態に設けられている。
【００４０】
これは、後述する下り傾斜状態に設けられた載置部２の載置上面２ａとともに、該載置部２に載置した収納ケース７が前方へ落ちにくく安定した載置状態を得る為の構成である。
【００４１】
また、載置本体１の正面部１ａには、該正面部１ａに添設状態とした載置部２を保持する添設保持手段４が設けられている。
【００４２】
この添設保持手段４は、図１，３に図示したように磁石体４で構成されており、正面部１ａに添設状態となるまで擺動させた載置部２を吸着保持するように構成されている。尚、添設保持手段４としては磁石による吸着保持に限らず、例えばフック材とループ材とからなるベロクロファスナー構造や粘着構造でも良いなど、本実施例の特性を発揮する構成であれば適宜採用し得るものである。
【００４３】
また、載置本体１の背面部及び係止部３の内面部にはクッション材９が設けられている。
【００４４】
このクッション材９は、図１〜３に図示したように適度な柔軟性を有する合成樹脂製の部材（例えばポリウレタンやポリエチレンやゴムなど）で形成したものであり、内扉２の上縁部21ａに係止部３を係止した際、内扉２の表面に当接して該表面の傷付き防止機能及び掛け下げ状態とした載置本体１の滑り止め機能を発揮する。
【００４５】
また、載置本体１の下方左右位置には、複数（３つ）の貫通孔８を左右方向に並設して成る複数（３つ）の列が上下方向に並設されており、この各貫通孔８は、載置本体１に載置部２を止着する際の止着孔として機能する。
【００４６】
従って、載置本体１に対する載置部２の止着位置を可変することで該載置部２の高さ位置を可変し得ることになる。尚、載置本体１に対する載置部２の高さ位置を可変する構造としては、例えばスライドレール式としても良いなど本実施例の特性を発揮する構成であれば適宜採用し得るものである。
【００４７】
載置部２は、図１〜３に図示したように適宜な金属製の部材で形成した板状体であり、基端部が一対の蝶板10を介して載置本体１に係る正面部１ａの下方部に枢着され、垂直状態に配された載置本体１の正面部１ａに添設状態から前方へ水平突出状態となるまで擺動自在に設けられている。
【００４８】
また、載置部２は、前述したように載置本体１に対する取付位置を可変することで高さ位置を可変することができる。符号11は止着螺子である。
【００４９】
また、載置部２は、図３に図示したように載置上面２ａが水平状態でなく正面部１ａ側へ下る下り傾斜状態に設けられており、この載置上面２ａの面方向は収納ケース支承部５と直交する状態に設定されている。
【００５０】
従って、この載置部２に載置した収納ケース７は前方へ落ちにくく安定した載置状態が得られることになる。
【００５１】
以上の構成から成る本実施例に係る飲料商品載置台を用いた飲料商品Ｄの補充作業について説明する。
【００５２】
先ず、図５に図示したように自動販売機20の外扉22を開けた状態として、内扉21の上端部21ａに係止部３を掛け係止して載置本体１を掛け下げ状態する。
【００５３】
続いて、図６に図示したように内扉21に掛け下げ状態とした載置本体１に設けられる載置部２に、飲料商品Ｄが収納された収納ケース７を載せる。この際、図３に図示したように収納ケース７は後方側へ倒れ込んだ状態で載置される。
【００５４】
続いて、この状態で、収納ケース７から飲料商品Ｄを取り出して補充作業を行う。
【００５５】
本実施例は上述のように構成したから、飲料商品Ｄを補充する際に、地面に載置した収納ケース７から飲料商品Ｄを取ろうとして屈む必要はなく、作業者は作業し易い高さ位置に載置された収納ケース７から飲料商品Ｄを取り出すことができ、楽な姿勢で飲料商品Ｄの補充作業が行えることになる。
【００５６】
また、本実施例は、内扉21に載置本体１を掛け下げ状態とする際、飲料商品Ｄを投入しようとする飲料商品投入口23ａの真下に載置部２が位置しないように内扉21の上端部21ａに係止部３を掛け係止することで、作業者は載置部２（載置部２に載置された収納ケース７）が邪魔にならず飲料商品投入口23ａから近い位置で楽な姿勢で飲料商品Ｄの補充作業が行えることになる。引き続き、別の飲料商品投入口23ａへ飲料商品Ｄを投入しようとする際、載置部２が邪魔になるようであれば内扉21の上端部21ａの別の位置へ係止部３を係掛け係止させて載置本体１を移動させれば良い。
【００５７】
また、本実施例は、仮に閉じた内扉21で隠蔽状態となる飲料商品投入口23ａに飲料商品Ｄを投入しようとする場合、内扉21を開いた状態とし、この開いた状態の内扉21の内面側に載置本体１が配されるように係止部３を内扉21の上端部21ａに掛け係止すれば良く、内扉21の上端部21ａに掛け係止して使用する構造の為、内扉21を閉じた状態は勿論、開いた状態でも使用することができ、よって、前述した従来例と異なり、状況に応じて自動販売機20の内扉21に対して掛け下げる位置を可変することで、常に飲料商品Ｄを補充する作業が良好に行えることになる。
【００５８】
また、本実施例は、既存の自動販売機20に使用することができて非常に便利である。
【００５９】
また、本実施例は、載置部２は、載置上面２ａが水平状態でなく正面部１ａ側へ下る下り傾斜状態に設けられているから、載置部２に載置した収納ケース７の前方への落下を可及的に防止する安定した載置状態が得られることになり、飲料商品Ｄの補充作業が良好に行われることになる。
【００６０】
また、本実施例は、載置本体１に対する載置部２の高さ位置は可変可能に設けられているから、作業者の使い易い高さに調節して使用することができる。
【００６１】
また、本実施例は、載置部２は、載置本体１の正面部１ａに添設状態から前方へ突出状態となるまで擺動自在に設けられており、載置本体１の正面部１ａに添設状態とした載置部２を保持する添設保持手段４が設けられている場合には、不使用時にはコンパクトにすることができ、しかも、載置部２が不意に擺動することなくこのコンパクトな状態が確実に保持されることになる。
【００６２】
また、本実施例は、載置本体１の正面部１ａには、前記載置部２に載置され前記飲料商品Ｄを複数収納する収納ケース７の背面部を支承する収納ケース支承部５が設けられ、この収納ケース支承部５は垂直状態ではなく載置本体１の正面部１ａへ倒れ込む倒れ込み傾斜状態に設けられているから、前述した載置部２と共に該載置部２に載置した収納ケース７の前方への落下を可及的に防止する安定した載置状態が得られることになり、飲料商品Ｄの補充作業が良好に行われることになる。
【００６３】
尚、本発明は、本実施例に限られるものではなく、各構成要件の具体的構成は適宜設計し得るものである。
【産業上の利用可能性】
【００６４】
本発明は、例えば自動販売機に缶やペットボトルなどの飲料商品を補充する際に使用する飲料商品載置台に有用である。
【符号の説明】
【００６５】
Ｄ  飲料商品
１  載置本体
１ａ  正面部
２  載置部
２ａ  載置上面
３  係止部
４  添設保持手段
５  収納ケース支承部
７  収納ケース
20  自動販売機
21  内扉
21ａ  上端部
【図１】
2011034252.tif 000003
【図２】
2011034252.tif 000004
【図３】
2011034252.tif 000005
【図４】
2011034252.tif 000006
【図５】
2011034252.tif 000007
【図６】
2011034252.tif 000008
【図７】
2011034252.tif 000009
【図８】
2011034252.tif 000010